(57)【要約】      （修正有）【課題】多くの物品や大きな物品を収納する大きな鞄に模様替えできるショルダーバッグを提供する。【解決手段】小物を出し入れするショルダーバッグは、ショルダーバッグ部４０と、リバーシブル収納袋３０と、大きな鞄２０とからなる。ショルダーバッグ部４０は、小物を出し入れすることができる袋部及びこの袋部を利用者の肩に掛けるとともに、Ｄ環４７に着脱可能な肩掛けベルトからなる。リバーシブル収納袋３０は、袋部に設けられ裏返すことでショルダーバッグ部４０を収納する。大きな鞄２０は、リバーシブル収納袋３０に収納されリバーシブル収納袋を裏返すことで表に現れて大きな物品を出し入れする。【選択図】図６
0003202017.tif 000002
【実用新案登録請求の範囲】
【請求項１】
小物を出し入れすることができる袋部及びこの袋部を利用者の肩に掛ける肩掛けベルトからなるショルダーバッグ部と、前記袋部に設けられ裏返すことで前記ショルダーバッグ部を収納するリバーシブル収納袋と、前記リバーシブル収納袋に収納され該リバーシブル収納袋を裏返すことで表に現れて大きな物品を出し入れすることができる大きな鞄とからなり、
この大きな鞄を折り畳み前記リバーシブル収納袋の裏面側に収納した状態でショルダーバッグとして使用でき、
前記リバーシブル収納袋を裏返して前記ショルダーバッグ部を前記リバーシブル収納袋の表面側に収納し、前記大きな鞄を出した状態で大きな鞄として使用できることを特徴とする大きな鞄に模様替えできるショルダーバッグ。
【請求項２】
前記リバーシブル収納袋は、裏返しにする際に開閉するリバーシブルファスナーを備えていることを特徴とする請求項１記載の大きな鞄に模様替えできるショルダーバッグ。
【請求項３】
前記肩掛けベルトは、前記ショルダーバッグ部に着脱可能であることを特徴とする請求項１又は請求項２記載の大きな鞄に模様替えできるショルダーバッグ。
【請求項４】
前記リバーシブル収納袋は、横幅方向両端部が前記大きな鞄に縫い付けられており、
前記大きな鞄を出した状態で、前記大きな鞄と前記リバーシブル収納袋の間に上下に貫通する隙間が形成されていることを特徴とする請求項１〜３のいずれか１項記載の大きな鞄に模様替えできるショルダーバッグ。
【請求項５】
前記大きな鞄は、トートバッグであることを特徴とする請求項１〜４のいずれか１項記載の大きな鞄に模様替えできるショルダーバッグ。
【請求項６】
前記大きな鞄は、ボストンバッグであることを特徴とする請求項１〜４のいずれか１項記載の大きな鞄に模様替えできるショルダーバッグ。
【考案の詳細な説明】
【技術分野】
【０００１】
本考案は、収納する物品の大きさに応じて形態を変えることができる鞄に関し、特に小物を収納するショルダーバッグに関する。
【背景技術】
【０００２】
物品を収納する鞄や袋は大きさが様々である。例えば、利用者が買い物に行く際、多くの物品や大きな物品を収納する場合は大きな袋を使用する。しかし、店に行くまでの移動中に何も収納されていない大きな袋を持ち歩くと邪魔になる。逆に小さな袋であれば移動の邪魔にならないが、多くの物品や大きな物品を入れることができなくなる。このため店に行くまでの移動中は袋を小さくして持ち歩き、買い物をして物品を収納する際に小さな袋を大きくできれば便利である。このような大きさを変えることができる袋が各種提案されている（例えば、特許文献１参照。）。
【０００３】
特許文献１に開示されている袋の基本原理を図９に基づいて説明する。
図１８（ａ）に示されるように、袋１００は表向きであって、買い物袋として使用する状態である。袋１００は、袋部１０１の上部に取っ手１０２が設けられ、袋部１０１の中央には裏からぬいぐるみ形状の生地１０３が縫い付けられている。
【０００４】
図１８（ｂ）に示されるように、袋１００は裏向きであって、袋部１０１に縫い付けられたぬいぐるみ形状の生地１０３は裏向きである。ぬいぐるみ形状の生地１０３にはファスナー１０４が設けられており、ぬいぐるみ形状の生地１０３と袋部１０１との間にぬいぐるみ形状の小さな袋が形成されている。ファスナー１０４を開けて裏返し、袋部１０１や取っ手１０２を折り畳んでぬいぐるみ形状の小さな袋に収納した後にファスナー１０４を閉じる。
【０００５】
図１８（ｃ）に示されるように、ぬいぐるみ形状の生地１０３と重なる部分で袋部１０１の裏面に絵を描いておくことで、裏返した際に絵が表向きになるぬいぐるみ１０５を得ることができる。店に行くまでの移動中は小さなぬいぐるみ１０５として持ち歩き、買い物をして物品を収納する際に袋１００として使用することができる。
【０００６】
ところで、買い物の際は店に行くまでの移動中であっても財布や携帯端末等を持ち歩くことが多い。しかし、従来技術は移動中にぬいぐるみ１０５として持ち歩くため、財布や携帯端末等の小物を別の鞄やポケットに入れる必要が生じる。そこで、移動中は小物を収納する小さな鞄とし、多くの物品や大きな物品を収納する際に大きな鞄に変形することができる技術が望まれている。
【先行技術文献】
【特許文献】
【０００７】
【特許文献１】特開２００９−２０２９３８号公報
【考案の概要】
【考案が解決しようとする課題】
【０００８】
本考案は、多くの物品や大きな物品を収納する大きな鞄に模様替えできるショルダーバッグを提供することを課題とする。
【課題を解決するための手段】
【０００９】
請求項１に係る考案は、小物を出し入れすることができる袋部及びこの袋部を利用者の肩に掛ける肩掛けベルトからなるショルダーバッグ部と、前記袋部に設けられ裏返すことで前記ショルダーバッグ部を収納するリバーシブル収納袋と、前記リバーシブル収納袋に収納され該リバーシブル収納袋を裏返すことで表に現れて大きな物品を出し入れすることができる大きな鞄とからなり、
この大きな鞄を折り畳み前記リバーシブル収納袋の裏面側に収納した状態でショルダーバッグとして使用でき、
前記リバーシブル収納袋を裏返して前記ショルダーバッグ部を前記リバーシブル収納袋の表面側に収納し、前記大きな鞄を出した状態で大きな鞄として使用できることを特徴とする。
【００１０】
請求項２に係る考案では、リバーシブル収納袋は、裏返しにする際に開閉するリバーシブルファスナーを備えていることを特徴とする。
【００１１】
請求項３に係る考案では、肩掛けベルトは、ショルダーバッグ部に着脱可能であることを特徴とする。
【００１２】
請求項４に係る考案では、リバーシブル収納袋は、横幅方向両端部が前記大きな鞄に縫い付けられており、大きな鞄を出した状態で、大きな鞄と前記リバーシブル収納袋の間に上下に貫通する隙間が形成されていることを特徴とする。
【００１３】
請求項５に係る考案では、大きな鞄は、トートバッグであることを特徴とする。
【００１４】
請求項６に係る考案では、大きな鞄は、ボストンバッグであることを特徴とする。
【考案の効果】
【００１５】
請求項１に係る考案では、小物を出し入れすることができる袋部及びこの袋部を利用者の肩に掛ける肩掛けベルトからなるショルダーバッグ部と、袋部に設けられ裏返すことでショルダーバッグ部を収納するリバーシブル収納袋とを備える。リバーシブル収納袋を裏返すことで、リバーシブル収納袋に収納された大きな鞄を表に出し大きな物品を出し入れすることができる。大きな鞄を折り畳みリバーシブル収納袋の裏面側に収納した状態でショルダーバッグとして使用でき、リバーシブル収納袋を裏返してショルダーバッグ部をリバーシブル収納袋の表面側に収納し、大きな鞄を出した状態で大きな鞄として使用できる。結果、多くの物品や大きな物品を収納する大きな鞄に模様替えできるショルダーバッグを提供することができる。
【００１６】
請求項２に係る考案では、リバーシブル収納袋は、裏返しにする際に開閉するリバーシブルファスナーを備えている。リバーシブルファスナーを開閉するだけでリバーシブル収納袋を容易に裏返すことができる。
【００１７】
請求項３に係る考案では、肩掛けベルトは、ショルダーバッグ部に着脱可能であるので、ショルダーバッグとして使用するときだけに肩掛けベルトを取り付けることができる。
【００１８】
請求項４に係る考案では、リバーシブル収納袋は、横幅方向両端部が大きな鞄に縫い付けられている。大きな鞄を出した状態で、大きな鞄とリバーシブル収納袋の間に上下に貫通する隙間が形成されているので、例えばスーツケースの取っ手を引き出した状態でスーツケースを立て、大きな鞄とリバーシブル収納袋の間の隙間に引き出した取っ手を通すことで、大きな鞄をスーツケースの上面に置いて保持することができる。
【００１９】
請求項５に係る考案は、大きな鞄は、トートバッグである。トートバッグであれば、買い物の際に複数の物品や大きな物品を収納することができる。
【００２０】
請求項６に係る考案は、大きな鞄は、ボストンバッグである。ボストンバッグであれば、旅行の際に複数の物品や大きな物品を収納することができる。
【図面の簡単な説明】
【００２１】
【図１】実施例１に係るトートバッグの正面図である。
【図２】トートバッグから模様替えした際のリバーシブル収納袋の裏面側の正面図である。
【図３】図２の３矢視図である。
【図４】トートバッグの作用図である。
【図５】トートバッグの折り畳の一例を説明する図である。
【図６】トートバッグからショルダーバッグへの模様替えを説明する図である。
【図７】トートバッグから模様替えしたショルダーバッグ部の背面図である。
【図８】トートバッグから模様替えしたショルダーバッグ部の正面図である。
【図９】ショルダーバッグ部の作用図である。
【図１０】実施例２に係るボストンバッグの正面図である。
【図１１】ボストンバッグの背面図及びリバーシブル収納袋の裏面側の正面図である。
【図１２】図１１の１２矢視図である。
【図１３】ボストンバッグの作用図である。
【図１４】ボストンバッグの折り畳の一例を説明する図である。
【図１５】ボストンバッグからショルダーバッグへの模様替えを説明する図である。
【図１６】ボストンバッグから模様替えしたショルダーバッグ部の背面図である。
【図１７】ボストンバッグから模様替えしたショルダーバッグ部の正面図である。
【図１８】従来技術の基本原理を説明する図である。
【考案を実施するための形態】
【００２２】
本考案の実施の形態を添付図に基づいて以下に説明する。
【実施例１】
【００２３】
先ず、本発明の実施例１を図面に基づいて説明する。
図１に示されるように、大きな鞄に模様替えできるショルダーバッグ１０は、模様替え後の大きな鞄２０の状態である。大きな鞄２０は、トートバッグ（以下、トートバッグ２０という。）であり、柔軟な材質で成形されている。
【００２４】
トートバッグ２０は、底を形成するトート底面部２１と、このトート底面部２１から立ち上がり正面の立ち壁を形成するトート正面部２２と、このトート正面部２２に設けられ利用者が手に持つトート用取っ手２３とを備えている。
【００２５】
図２、図３に示されるように、トートバッグ２０は、トート底面部２１から立ち上がり背面の立ち壁を形成するトート背面部２４と、このトート背面部２４の上端とトート正面部２２の上端とを繋ぐように形成されるトート上面部２５と、トート底面部２１から立ち上がり側壁を形成するトート側面部２６とを備えている。トート背面部２４には、トート用取っ手２３が設けられている。
【００２６】
トートバッグ２０は、トート底面部２１、トート正面部２２、トート背面部２４及びトート側面部２６によって袋状に形成されている。トート上面部２５にはトート用ファスナー２７が設けられており、このトート用ファスナー２７を開閉することで中に物品を出し入れすることができる。
【００２７】
なお、実施例ではトート用ファスナー２７を設けたがトート用ファスナー２７は無くてもよい。また、実施例ではトートバッグ２０に上面部２５を設けたが、トート上面部２５は無くてもよく、さらには袋状であれば上記の構成に限らずトートバッグ２０の形状は問わないものとする。
【００２８】
また、トートバッグ２０のトート背面部２４には、ショルダーバッグ部４０（図６参照）が収納されたリバーシブル収納袋３０が設けられている。リバーシブル収納袋３０には、このリバーシブル収納袋３０の縁部を開閉するリバーシブルファスナー３１が設けられており、このリバーシブルファスナー３１を開けることでショルダーバッグ部４０を取り出すことができる。
【００２９】
リバーシブル収納袋３０は裏返し可能に成形されており、トートバッグ２０を出した状態では裏面３２が外側になっている。リバーシブル収納袋３０は、横幅方向両端部がトート背面部２４に縫い付けられており、トートバッグ２０を出した状態で、トートバッグ２０とリバーシブル収納袋３０の間に上下に貫通する隙間３３が形成されている。
【００３０】
以上に述べたトートバッグ２０の作用を次に説明する。
図４に示されるように、スーツケース５０は自立した状態であり、このスーツケース５０に設けられ上方に引出可能なスライドバー５１と、このスライドバー５１の上端部設けられ利用者が掴むことができる取っ手５２とを備えている。
【００３１】
取っ手５２を引き出した状態でスーツケース５０を自立させ、トートバッグ２０とリバーシブル収納袋３０の間の隙間３３に引き出した取っ手５０を通す。トートバッグ２０は、取っ手５２又はスライドバー５１に引っ掛かるので、トートバッグ２０をスーツケース５０の上面５３に置いて保持することができる。
【００３２】
次に大きな鞄に模様替えできるショルダーバッグ１０の作用を説明する。
図５はトートバッグの折り畳の一例を説明する図であり、図５（ａ）に示されるように、大きな鞄に模様替えできるショルダーバッグ１０は、トートバッグ２０を出した状態であり、トート正面部２２をトート背面部２４（図３参照）に押しつけた状態にする。
【００３３】
図５（ｂ）に示されるように、トート側面部２６側を矢印（１）のように内側に折り畳む。
図５（ｃ）に示されるように、トート底面部２１側を矢印（２）のように内側に折り畳む。
図５（ｄ）に示されるように、トート用取っ手２３側を矢印（３）のように内側に折り畳む。
【００３４】
次にトートバッグ２０を折り畳む前後の状態と、ショルダーバッグ部４０への模様替えを側面図に基づいて説明する。
図６（ａ）に示されるように、大きな鞄に模様替えできるショルダーバッグ１０は、トートバッグ２０を出した状態であり、リバーシブル収納袋３０は、裏面３２が外側に出た状態である。
【００３５】
図６（ｂ）に示されるように、トートバッグ２０を折り畳む。トートバッグ２０は、リバーシブル収納袋３０に収まるように小さく折り畳まれている。リバーシブル収納袋３０のリバーシブルファスナー３１を開き、リバーシブル収納袋３０を裏返す。裏返したリバーシブル収納袋３０に、折り畳んだトートバッグ２０を収納する。
【００３６】
図６（ｃ）に示されるように、トートバッグ２０が収納され表面３４が外側に出た状態でリバーシブルファスナー３１を閉める。またリバーシブル収納袋３０を裏返すことで、リバーシブル収納袋３０に収納されていたショルダーバッグ部４０が外に現れる。
【００３７】
また、上記とは逆に図６（ｃ）の状態から図６（ｂ）の状態、図６（ｂ）の状態から図６（ａ）の状態にすることで、外に出た状態のショルダーバッグ部４０をリバーシブル収納袋３０に収納し、収納されていたトートバッグ２０を外に出すことができる。このようにリバーシブル収納袋３０を裏返してショルダーバッグ部４０を収納することで、ショルダーバッグ部４０からトートバッグ２０へ模様替えすることができる。トートバッグ２０であれば、買い物の際に複数の物品や大きな物品を収納することができる。
【００３８】
リバーシブル収納袋３０は、裏返しにする際に開閉するリバーシブルファスナー３１を備えているの、リバーシブルファスナー３１を開閉するだけでリバーシブル収納袋３０を容易に裏返すことができる。結果、ショルダーバッグ部４０からトートバッグ２０への模様替えと、トートバッグ２０からショルダーバッグ部４０への模様替えを容易に行うことができる。
【００３９】
次にショルダーバッグ部４０について説明する。
図７、図８に示されるように、ショルダーバッグ部４０は、小物を出し入れすることができる袋部４０ａと、この袋部４０ａを利用者の肩に掛ける肩掛けベルト４８とからなる。
【００４０】
袋部４０ａは、底を形成するショルダー底面部４１と、このショルダー底面部４１から立ち上がり背面の立ち壁を形成するショルダー背面部４２と、ショルダー底面部４１から立ち上がり側面の立ち壁を形成するショルダー側面部４３と、ショルダー底面部４１から立ち上がり正面の立ち壁を形成し且つリバーシブル収納袋３０の表面を兼ねるショルダー正面部３４を備えている。
【００４１】
ショルダー背面部４３、ショルダー正面部４２及びショルダー側面部４３の上端とを繋ぐようにショルダー上面部４４が形成され、このショルダー上面部４４に利用者が手で持つことのできるショルダー用取っ手４５が設けられている。
【００４２】
ショルダー背面部４２にはショルダーバッグ部４０に小物を出し入れする際に開閉する第１ファスナーが設けられ、ショルダー正面部３４にはこのショルダー正面部３４を開閉する第２ファスナーが設けられている。
【００４３】
肩掛けベルト４８の両端部には、着脱用のフック４８ａが設けられている。ショルダー背面部４２には、フック４８ａを引っ掛けるリング状のＤ環４７が設けられている。このため、肩掛けベルト４８は、ショルダーバッグ部４０に矢印（４）のように取り付けることができる。肩掛けベルト４８は着脱可能であるので、ショルダーバッグとして使用するときだけに肩掛けベルト４８を取り付けることができ、使い勝手を向上することができる。
【００４４】
ショルダーバッグ部４０は、実施例のようにショルダー底面部４１、ショルダー正面部４２、ショルダー側面部４３、ショルダー上面部４４に面が分かれていなくてもよく、袋部４０ａが袋状であれば形状は問わない。
【００４５】
図６〜図８に示されるように、大きな鞄に模様替えできるショルダーバッグ１０は、小物を出し入れすることができる袋部４０ａ及びこの袋部４０ａを利用者の肩に掛ける肩掛けベルト４８からなるショルダーバッグ部４０と、袋部４０に設けられ裏返すことでショルダーバッグ部４０を収納するリバーシブル収納袋３０と、リバーシブル収納袋３０に収納され該リバーシブル収納袋３０を裏返すことで表に現れて大きな物品を出し入れすることができるトートバッグ（大きな鞄）２０とからなる。
【００４６】
このトートバッグ２０を折り畳み、リバーシブル収納袋３０の裏面３２側に収納した状態でショルダーバッグとして使用でき、リバーシブル収納袋３０を裏返してショルダーバッグ部４０をリバーシブル収納袋３０の表面３４側に収納し、トートバッグ２０を出した状態で大きな鞄として使用できる。
【００４７】
以上に説明したショルダーバッグ部４０の作用を次に述べる。
図９に示されるように、利用者１１は、大きな鞄に模様替えできるショルダーバッグ１０をショルダーバッグの状態とし、肩掛けベルト４８を肩に掛けることができる。例えば買い物に出かける際はショルダーバッグの状態にし、ショルダーバッグ部４０に財布やスマートフォンの小物を入れて店まで行く。買い物をした際は、トートバッグ２０に模様替えし、複数の物品や大きな物品を入れて持ち帰る。このように、本考案では多くの物品や大きな物品を収納する大きな鞄に模様替えできるショルダーバッグ１０を提供することができる。
【実施例２】
【００４８】
次に、本発明の実施例２を図面に基づいて説明する。なお、図６〜図８に示した構成と同一構成については同一符号を付け、詳細説明は省略する。
図１０に示すように、大きな鞄に模様替えできるショルダーバッグ１０は、模様替え後の大きな鞄６０の状態である。大きな鞄６０は、ボストンバッグ（以下、ボストンバッグ６０という。）であり、柔軟な材質で成形されている。
【００４９】
ボストンバッグ６０は、底を形成するボストン底面部６１と、このボストン底面部６１から立ち上がり正面の立ち壁を形成するボストン正面部６２と、このボストン正面部６２に設けられ利用者が手に持つボストン用取っ手６３とを備えている。
【００５０】
図１１、図１２に示されるように、ボストンバッグ６０は、ボストン底面部６１から立ち上がり背面の立ち壁を形成するボストン背面部６４と、このボストン背面部６４の上部の湾曲部分及びボストン正面部６２の上部の湾曲部分から形成されるボストン上面部６５と、ボストン底面部６１から立ち上がり側壁を形成するボストン側面部６６とを備えている。ボストン背面部６４には、ボストン用取っ手６３が設けられている。
【００５１】
ボストンバッグ６０は、ボストン底面部６１、ボストン正面部６２、ボストン背面部６４及びボストン側面部６６によって袋状に形成されている。ボストン上面部６５にはボストン用ファスナー６７が設けられており、このボストン用ファスナー６７を開閉することで中に物品を出し入れすることができる。
【００５２】
なお、ボストンバッグ６０は実施例の形状に限定されず、袋状であればボストンバッグ２０の形状は変更しても差し支えない。
【００５３】
また、ボストンバッグ２０のボストン背面部６４には、ショルダーバッグ部４０（図６参照）が収納されたリバーシブル収納袋３０が設けられている。リバーシブル収納袋３０には、このリバーシブル収納袋３０の縁部を開閉するリバーシブルファスナー３１が設けられており、このリバーシブルファスナー３１を開けることでショルダーバッグ部４０を取り出すことができる。
【００５４】
リバーシブル収納袋３０は裏返し可能に成形されており、ボストンバッグ６０を出した状態では裏面３２が外側になっている。リバーシブル収納袋３０は、横幅方向両端部がボストン背面部６４に縫い付けられており、ボストンバッグ６０を出した状態で、ボストンバッグ６０とリバーシブル収納袋３０の間に上下に貫通する隙間３３が形成されている。
【００５５】
以上に述べたボストンバッグ６０の作用を次に説明する。
図１３に示されるように、スーツケース５０は自立した状態であり、このスーツケース５０に設けられ上方に引出可能なスライドバー５１と、このスライドバー５１の上端部設けられ利用者が掴むことができる取っ手５２とを備えている。
【００５６】
取っ手５２を引き出した状態でスーツケース５０を自立させ、ボストンバッグ６０とリバーシブル収納袋３０の間の隙間３３に引き出した取っ手５０を通す。ボストンバッグ６０は、取っ手５２又はスライドバー５１に引っ掛かるので、ボストンバッグ６０をスーツケース５０の上面５３に置いて保持することができる。
【００５７】
次に大きな鞄に模様替えできるショルダーバッグ１０の作用を説明する。
図１４はボストンバッグの折り畳の一例を説明する図であり、図１４（ａ）に示されるように、大きな鞄に模様替えできるショルダーバッグ１０は、ボストンバッグ６０を出した状態であり、ボストン正面部６２をボストン背面部６４（図１２参照）に押しつけた状態にする。
【００５８】
図１４（ｂ）に示されるように、ボストン側面部６６側を矢印（５）のように内側に折り畳む。
図１４（ｃ）に示されるように、ボストン底面部６１側を矢印（６）のように内側に折り畳む。
図１４（ｄ）に示されるように、ボストン用取っ手６３側を矢印（７）のように内側に折り畳む。
【００５９】
次にボストンバッグ６０を折り畳む前後の状態と、ショルダーバッグ部４０への模様替えを側面図に基づいて説明する。
図１５（ａ）に示されるように、大きな鞄に模様替えできるショルダーバッグ１０は、ボストンバッグ６０を出した状態であり、リバーシブル収納袋３０は、裏面３２が外側に出た状態である。
【００６０】
図１５（ｂ）に示されるように、ボストンバッグ６０を折り畳む。ボストンバッグ６０は、リバーシブル収納袋３０に収まるように小さく折り畳まれている。リバーシブル収納袋３０のリバーシブルファスナー３１を開き、リバーシブル収納袋３０を裏返す。裏返したリバーシブル収納袋３０に、折り畳んだボストンバッグ６０を収納する。
【００６１】
図１５（ｃ）に示されるように、ボストンバッグ６０が収納され表面３４が外側に出た状態でリバーシブルファスナー３１を閉める。またリバーシブル収納袋３０を裏返すことで、リバーシブル収納袋３０に収納されていたショルダーバッグ部４０が外に現れる。
【００６２】
また、上記とは逆に図６（ｃ）の状態から図６（ｂ）の状態、図６（ｂ）の状態から図６（ａ）の状態にすることで、外に出た状態のショルダーバッグ部４０をリバーシブル収納袋３０に収納し、収納されていたボストンバッグ６０を外に出すことができる。このようにリバーシブル収納袋３０を裏返してショルダーバッグ部４０を収納することで、ショルダーバッグ部４０からボストンバッグ６０へ模様替えすることができる。ボストンバッグ６０であれば、旅行先での買い物の際に複数の物品や大きな物品を収納することができる。
【００６３】
リバーシブル収納袋３０は、裏返しにする際に開閉するリバーシブルファスナー３１を備えているの、リバーシブルファスナー３１を開閉するだけでリバーシブル収納袋３０を容易に裏返すことができる。結果、ショルダーバッグ部４０からボストンバッグ６０への模様替えと、ボストンバッグ６０からショルダーバッグ部４０への模様替えを容易に行うことができる。
【００６４】
図１５〜図１７に示されるように、大きな鞄に模様替えできるショルダーバッグ１０は、小物を出し入れすることができる袋部４０ａ及びこの袋部４０ａを利用者の肩に掛ける肩掛けベルト４８からなるショルダーバッグ部４０と、袋部４０に設けられ裏返すことでショルダーバッグ部４０を収納するリバーシブル収納袋３０と、リバーシブル収納袋３０に収納され該リバーシブル収納袋３０を裏返すことで表に現れて大きな物品を出し入れすることができるボストンバッグ（大きな鞄）６０とからなる。
【００６５】
このボストンバッグ６０を折り畳み、リバーシブル収納袋３０の裏面３２側に収納した状態でショルダーバッグとして使用でき、リバーシブル収納袋３０を裏返してショルダーバッグ部４０をリバーシブル収納袋３０の表面３４側に収納し、ボストンバッグ６０を出した状態で大きな鞄として使用できる。また、両側のボストン側面部６６には、リング状のボストン用Ｄ環６８が設けられている。ボストンバッグ６０として使用する際に、ショルダーバッグ部４０から肩掛けベルト４８を取り外し、ボストン用Ｄ環６８に取り付けることで、肩掛けベルト４８を肩に掛けてボストンバッグ６０を容易に運ぶことができる。
【００６６】
尚、実施例では、大きな鞄に模様替えできるショルダーバッグ１０の素材をポリエステルとしたがこれに限定されず、柔軟な材質であれば布製、ビニール製など他の一般的な材料であっても差し支えない。
【産業上の利用可能性】
【００６７】
本考案は、小物を出し入れするショルダーバッグに好適である。
【符号の説明】
【００６８】
１０…  大きな鞄に模様替えできるショルダーバッグ
２０…  大きな鞄（トートバッグ、ボストンバッグ）
３０…  リバーシブル収納部
３１…  リバーシブルファスナー
３３…  隙間
４０…  ショルダーバッグ部
４０ａ…  袋部
４７…  Ｄ環
４８…  肩掛けベルト
４８ａ…  フック
【図１】
0003202017.tif 000003
【図２】
0003202017.tif 000004
【図３】
0003202017.tif 000005
【図４】
0003202017.tif 000006
【図５】
0003202017.tif 000007
【図６】
0003202017.tif 000008
【図７】
0003202017.tif 000009
【図８】
0003202017.tif 000010
【図９】
0003202017.tif 000011
【図１０】
0003202017.tif 000012
【図１１】
0003202017.tif 000013
【図１２】
0003202017.tif 000014
【図１３】
0003202017.tif 000015
【図１４】
0003202017.tif 000016
【図１５】
0003202017.tif 000017
【図１６】
0003202017.tif 000018
【図１７】
0003202017.tif 000019
【図１８】
0003202017.tif 000020